(57)【要約】【課題】制御盤のリニューアル完了から欄干のリニューアル完了まで使用できる乗客コンベアの仮設操作スイッチを用いたリニューアルを安価に提供することにある。【解決手段】複数台の制御リニューアル及び欄干リニューアルを行う際に初回の制御リニューアル時に取外した既設操作スイッチを、次回リニューアル時までの期間で内部接点構成変更及び新規制御盤対応のコネクタ取付を行うことで、新製する仮設操作スイッチの新製員数を減らし、安価にリニューアルを行えるようにしたものである。【選択図】図４
2007119167.tif 000002
【特許請求の範囲】
【請求項１】
無端状に連結され、乗客を乗せて移動する複数のステップと、これらのステップを駆動させる駆動機構を有する駆動装置と、この駆動装置の駆動機構を制御し、この駆動装置に含まれる制御盤と、乗客コンベアの上部に設けられる照明部と、前記ステップの両側に設けられる欄干と、
これらの欄干のそれぞれの上部に沿って設けられ、複数の前記ステップと同期して移動するハンドレールとを備え、この乗客コンベアの所定部分毎にリニューアルする複数の工程に分割して行うリニューアル方法を複数台同時にリニューアルする際における乗客コンベアの仮設操作スイッチにおいて、前記欄干及び前記ステップを除き、少なくとも前記制御盤を新規制御盤へのリニューアルが完了した時点で前記欄干部に取付る操作スイッチと、この操作スイッチと前記新規制御盤とを接続するコネクタ付きのケーブルとを備えた新製仮設操作スイッチを最初にリニューアルする乗客コンベア分のみの必要最小限のみとし、残りのリニューアルする乗客コンベア分の仮設操作スイッチは、最初にリニューアルを行った乗客コンベアから取外した既設されていた操作スイッチの内部を乗客コンベアのリニューアルを行っていない期間やお客様の事情によりリニューアル作業の対応したコネクタを取付けたことを特徴とする乗客コンベアの仮設操作装置。
【発明の詳細な説明】
【技術分野】
【０００１】
本発明は、乗客コンベアの仮設操作装置に関する。
【背景技術】
【０００２】
エスカレーターやオートライン等の乗客コンベアの操作スイッチは、従来特開２０００−２６４５６６公報に乗客コンベアの欄干に張設される内面パネルの所定の位置に取付穴を設け、操作スイッチを取付穴に直接装着し、固定用部材を用いて操作スイッチを内面パネルに固定する技術が提案されている（特許文献１参照）。
【０００３】
また、乗客コンベアのリニューアルに関する技術は、従来、乗客コンベアのリニューアル作業全体をこの乗客コンベアの所定部分毎にリニューアルする複数の工程に分割し、乗客コンベアが利用されない時間帯に、複数の前記工程のそれぞれ個別に完了させていくようにした乗客コンベアのリニューアル方法が提案されている。
【０００４】
さらに乗客コンベアのリニューアルにおける仮設操作スイッチについては、新規制御盤に対応したコネクターを持つ仮設操作スイッチの技術が提案されている（特許文献２参照）。
【特許文献１】特開２０００−２６４５６６公報
【特許文献２】特開２００３−３２７３８２公報
【発明の開示】
【発明が解決しようとする課題】
【０００５】
上記従来の技術における乗客コンベアのリニューアルは、リレー制御方式からマイクロコンピューター制御とするため、新規制御盤にリニューアルすると、リレー制御対応の旧操作スイッチはマイクロコンピューター化された新制御盤に対し、機能の違いや接点構成の違いなどにより使用できず、新しい操作スイッチに取替る必要があった。
【０００６】
また、複数の乗客コンベアをリニューアルする場合に全台数分の仮設操作スイッチを新製しなければならないため、新製コストが多大となる問題が発生していた。
【０００７】
本発明の目的は、制御盤のリニューアル完了から欄干のリニューアル完了まで使用できる乗客コンベアの新製仮設操作スイッチを必要最小限の員数に抑えることができるようにすることにある。
【課題を解決するための手段】
【０００８】
本発明は上記目的を達成するために、請求項１の発明は、無端状に連結され、乗客を乗せて移動する複数のステップと、これらのステップを駆動させる駆動機構を有する駆動装置と、この駆動装置の駆動機構を制御し、この駆動装置に含まれる制御盤と、乗客コンベアの上部に設けられる照明部と、前記ステップの両側に設けられる欄干と、これらの欄干のそれぞれの上部に沿って設けられ、複数の前記ステップと同期して移動するハンドレールとを備え、この乗客コンベアの所定部分毎にリニューアルする複数の工程に分割して行うリニューアル方法における乗客コンベアの仮設操作スイッチにおいて、前記欄干及び前記ステップを除き、少なくとも前記制御盤を新規制御盤へのリニューアルが完了した時点で、前記欄干部に取付ける操作スイッチと、この操作スイッチと前記新規制御盤とを接続するコネクタ付きのケーブルを備えたものを、最初にリニューアルする乗客コンベア分のみの必要最小限の員数のみ新製とし、残りのリニューアルする乗客コンベア分の仮設操作スイッチは、最初にリニューアルを行った乗客コンベアから取外した既設されていた操作スイッチの内部を、乗客コンベアのリニューアルを行っていない期間や、お客様の事情によりリニューアル作業の行えないエスカレーター一般利用客が利用している時間帯に内部の接点構成を組替え、新規制御盤に対応したコネクタを取付けることで新製する制御盤への対応を図り、仮設操作スイッチの新製する員数を減らすことで安価に対応可能としたものである。
【発明の効果】
【０００９】
本発明によれば、新規制御盤へのリニューアルが完了して欄干部のリニューアルが完了するまでの期間、旧欄干部に取付けた操作スイッチを仮設操作スイッチとして使用して、欄干部のリニューアル完了時には新規の操作スイッチとするので、仮設操作スイッチとして使いまわしができるとともに、欄干郡をリニューアルする時の作業用運転装置として使用できるので、効率よいリニューアル作業が行え、
また新製する仮設操作スイッチの新製員数を減少することにより、複数台のリニューアルを行う際にも安価にリニューアル作業を行うことができる。
【発明を実施するための最良の形態】
【００１０】
以下本発明の実施形態を図１〜５に基づき説明する。
【００１１】
図１は本発明に係る乗客コンベアの仮設操作スイッチの一実施形態を示す欄干リニューアル前のエスカレーター下部側面図、図２は図１に用いる仮設操作スイッチの正面図、図３は図１のＡ−Ａ断面図、図４は複数台のエスカレーター段階的リニューアルの手順を説明するフローチャート、図５はリニューアル完了後の図１に相当するエスカレーター下部側面図である。
【００１２】
図１〜図３において、欄干部１に設けられる柱２の間には、リレー制御方式の図示しない既設制御盤に接続される既設操作スイッチ３が取付けられ、既設制御盤をマイコン制御方式の図示しない新規制御盤にリニューアルすると、既設操作スイッチ３が取付られていた箇所の下方の柱２の間に仮設操作スイッチ４が取付けられる。
【００１３】
ここで仮設操作スイッチ４は、カバーケースつきの一体型構造をしており、ケース内側から両側の柱４に向かって取付ボルト５を締め付けて固定されマイコン制御方式の図示しない新規制御盤に着脱自在に接続されるコネクタ６を有している。
【００１４】
次にエスカレーターの段階的リニューアル工法を説明する。
【００１５】
図４において、第一にリレー制御方式の既設制御盤からマイコン制御方式の新規制御盤にリニューアルする制御リニューアルの手順は、図４左側の初回リニューアル工程の如く、図示しない既設制御盤、図示しないモーター、図示しない駆動装置等を取外す（Ｓ１）とともに、既設操作スイッチ３と図示しない既設制御盤の接続線を含む配線を切断し、既設操作スイッチを取外し（Ｓ２）、図示しない駆動装置等を取付ける（Ｓ３）とともに、これらの配線の接続作業を行い、上述したように仮設操作スイッチ４を欄干部１である柱２の間に取付ける（Ｓ４）とともに、仮設操作スイッチ４と新規制御盤の接続をコネクタ６を介して行い、仮設操作スイッチ４での運転状態の確認を行い制御リニューアルは完了する。
【００１６】
この制御リニューアルが完了した段階で、エスカレーターを利用することが可能となるので、一旦お客様に引渡すことができる。
【００１７】
次の段階として、図示しないステップや欄干部１を新規のものにリニューアルする欄干リニューアルの手順は、仮設操作スイッチ４を柱２から取外し（Ｓ１１）、この仮設操作スイッチ４を床などにおいて図示しない新規制御盤と再配線を行って作業用運転装置として使用できるよう作業用運転装置として使用できるようにし（Ｓ１２）、作業用運転装置として仮設操作スイッチ４を用いて図示しないステップや柱２を含む欄干部一重を取外す作業を行い（Ｓ１３）、図示しないステツプや新規欄干部７等の設置作業を行とともに、図５に示すように新規操作スイッチ８を新規欄干部７の外デッキ９に組込、図示しない新規制御盤と仮設操作スイッチ４の配線を外す（Ｓ１４）、とともに図示しない新規制御盤と新規操作スイッチ８との配線接続を行い、新規操作スイッチ８での運転状態の確認を行い、欄干リニューアルの作業を完了する。
【００１８】
ここで複数台のリニューアルを行う場合、初回リニューアル工程の中で、既設操作スイッチ３を取外した後、新製した仮設操作スイッチ４を欄干部１の柱２に取付ける。取外した既設操作スイッチ３は、初回と２回目のリニューアル工程が始まる間の期間や、お客様の事情によりリニューアル作業の行えないエスカレーターー般利用客が利用している時間帯を利用して、内部接点構成の変更及び新規制御盤に対応したコネクタ６を取付ける。
【００１９】
２回目のリニューアル工程が開始され、２回目のリニューアル工程の中で、作業対象のエスカレーターの既設操作スイッチ３を取外し（Ｓ２２）、初回リニューアル工程で取外した既設操作スイッチの内部接点構成の変更及びコネクタを取付けた（Ｓ２４）ものを仮設操作スイッチとして取付ける（Ｓ２４）。
【００２０】
２回目のリニューアル工程で取外された既設操作スイッチは、上記したように、さらに次回のリニューアル工程で使用するため、内部接点構成の変更及びコネクタの取付けを行う（Ｓ２２Ａ）。
【００２１】
この工程を順次最終回のリニューアル工程まで繰り返す。
【００２２】
よって新製する仮設操作スイッチの新製員数は初回リニューアル工程で使用する員数のみとなる。
【００２３】
本実施形態によれば、制御リニューアル終了後から欄干リニューアルを開始する間は仮設操作スイッチ４でエスカレーターの利用が可能となるので、欄干リニューアルの時期が遅れてもお客様やエスカレーターの利用者に迷惑を掛けることは無く、また新製する部品の員数も減少することで複数台のリニューアルを行う際にも安価にリニューアル作業を提供することができる。
【図面の簡単な説明】
【００２４】
【図１】本発明に係る乗客コンベアの仮設操作スイッチの一実施形態を示す欄干リニューアル前のエスカレーター下部側面図である。
【図２】図１に用いる仮設操作スイッチの正面図である。
【図３】図１のＡ−Ａ断面図である。
【図４】エスカレーターの段階的リニューアルの手順を説明するフローチャートである。
【図５】リニューアル完了後の図１に相当するエスカレーター下部側面図である。
【符号の説明】
【００２５】
１  既設欄干
２  既設欄干柱
３  既設操作スイッチ
４  仮設操作スイッチ
５  仮設操作スイッチ取付ボルト
６  コネクタ
７  新規欄干
８  新製操作スイッチ
９  外デッキ
【図１】
2007119167.tif 000003
【図２】
2007119167.tif 000004
【図３】
2007119167.tif 000005
【図４】
2007119167.tif 000006
【図５】
2007119167.tif 000007